(57)【要約】      （修正有）【課題】可動フードの伸縮動作に伴いの接続線にも伸縮動作及び屈曲動作が限られた空間で繰り返されるので経年により進入する油や塵埃で前述の接続線と周囲の摺動抵抗が増して前述の接続線が異常屈曲や座屈、破断を生じることを防止する。【解決手段】排気送風機を収めたユニット部の下部に設けられた固定フード１１０と、この固定フードから出入りする可動フード１１１と、この固定フード１１０及び可動フード１１１の動作機構部に前記可動フード１１１に設けられた操作部及び表示部と送風機等を収納した固定フード部１１０を結ぶ接続線５０１を備えたレンジフードにおいて、前記接続線に異常屈曲や座屈、破断を防ぐ補助部材５０２を付加した。【選択図】図１
2015007489.tif 000002
【特許請求の範囲】
【請求項１】
排気送風機を収めたユニット部の下部に設けられた固定フードと、この固定フードから出入りする可動フードと、この固定フード及び可動フードの動作機構部に前記可動フードに設けられた操作部及び表示部と送風機等を収納した固定フード部を結ぶ接続線を備えたレンジフードにおいて、前記接続線に異常屈曲や座屈、破断を防ぐ補助部材を付加したレンジフード
【請求項２】
請求項１記載のレンジフードにおいて、前記接続線に付加される補助部材は、接続線の屈曲時に外周側に付加されたレンジフード
【請求項３】
請求項１記載のレンジフードにおいて、前記接続線に付加される補助部材は、接続線の屈曲時に内周側に付加されたレンジフード
【請求項４】
請求項１記載のレンジフードにおいて、前記接続線に付加される補助部材は、接続線の屈曲時に外周側及び内周側に付加されたレンジフード
【請求項５】
請求項１記載のレンジフードにおいて、前記接続線に付加される補助部材は、補助部材の両端部のみが接続線へ取り付けられているレンジフード
【請求項６】
請求項１記載のレンジフードにおいて、前記接続線に付加される補助部材は、補助部材の全長に渡り接続線へ取り付けられているレンジフード
【請求項７】
請求項１記載のレンジフードにおいて、前記接続線に付加される補助部材は、接続線の屈曲時に外周側に隙間を設けて付加されたレンジフード
【発明の詳細な説明】
【技術分野】
【０００１】
本発明は、台所で調理時に発生する油煙や水蒸気、ガスを屋外に排出するレンジフードに関する
【背景技術】
【０００２】
今日キッチンを取り巻く環境としては、オール電化住宅の増加と、火を使わず、一酸化炭素など燃焼ガスの発生がないという安全性の面からＩＨクッキングヒータの普及が高まっており、また、システムキッチンの一部として、目立たない、周囲に調和したデザインが求められており、薄型のレンジフードが主流になりつつある。
【０００３】
また、従来のレンジフードにあって、例えば、特許文献1のように、フード収納部に格納された可動フードを移動させて、フード収納部から引き出して用いられるレンジフードが知られている。
【０００４】
また、特許文献２では排気送風機を収めたユニット部の下部に設けられた固定フードと、この固定フードから出入りする可動フードと、この固定フード及び可動フードの下面部に配置された整流板と、この整流板と前記固定フード及び可動フードとの間に設けられた油煙や水蒸気を吸込む吸込口と、前記固定フードに対する前記可動フードの可動量を任意に変えるフード可動機構部と、を備えたレンジフードが開示されている
【先行技術文献】
【特許文献】
【０００５】
【特許文献１】特開平０４−２６３７２８号公報
【特許文献２】特開２００７−１９２４８２号公報
【発明の概要】
【発明が解決しようとする課題】
【０００６】
特許文献１のレンジフードには、可動フードの内部に給気通路と排気通路とを備えている。これらの給気通路と排気通路とは、複数の仕切り板で仕切られている。この仕切り板は可動フードの伸縮に合わせてその仕切り長さを変えるものであり、加熱調理器からの油煙などと給気通路の給気流とを仕切るものである。
【０００７】
特許文献２のレンジフードには、排気送風機を収めたユニット部の下部に設けられた固定フードと、この固定フードから出入りする可動フードと、この固定フード及び可動フードの下面部に配置された整流板と、この整流板と前記固定フード及び可動フードとの間に設けられた油煙や水蒸気を吸込む吸込口と、前記固定フードに対する前記可動フードの可動量を任意に変えるフード可動機構部と、を備えたものである。
【０００８】
また、レンジフードにおける排気風量及び吸気風量の調節と付加されている照明等の機能の制御は、外部環境と連動する場合と手動の場合とを選択して又は協調して調整して行なわれる。
【０００９】
手動で風量の調節や制御を行なう操作部や、運転状態を示す表示部はレンジフードの前面に配置すると操作性や視認性が良い。
【００１０】
特許文献１及び特許文献２の様な可動フードを備えたレンジフードの場合は、手動で風量の調節や制御を行なう操作部や運転状態を示す表示部は、可動フードに設けられる。
【００１１】
周囲に調和したデザインの薄型のレンジフードにおいては可動フードが薄型となり、レンジフードの前面に配置する操作部及び表示部と送風機等を収納した固定フードを有線で結ぶ際には、その接続線を薄型の可動フードに設ける必要がある。
【００１２】
可動フード及び固定フードは下部より調理時に発生する油煙や水蒸気、ガスにさらされるので、前述の接続線は薄型の可動フード及び固定フードの縁部に収納する必要がある。
【００１３】
また、可動フード及び固定フードの縁部は、薄型のために限られた空間しかないが、可動フードの動作のための機構と共に前述の接続線が収納される。
【００１４】
そのため、可動フードの伸縮動作に伴い前述の接続線にも伸縮動作及び屈曲動作が限られた空間で繰り返されるので経年により進入する油や塵埃で前述の接続線と周囲の摺動抵抗が増して前述の接続線が異常屈曲や座屈、破断を生じてしまう恐れがあった。
【課題を解決するための手段】
【００１５】
本願は上記課題を解決する手段を複数含んでいるが、その一例を挙げるならば、排気送風機を収めたユニット部の下部に設けられた固定フードと、この固定フードから出入りする可動フードと、この固定フード及び可動フードの動作機構部に前記可動フードに設けられた操作部及び表示部と送風機等を収納した固定フード部を結ぶ接続線を備えたレンジフードにおいて、前記接続線に異常屈曲や座屈、破断を防ぐ補助部材を付加したレンジフードの構成を特徴とする。
【発明の効果】
【００１６】
本発明によれば、周囲に調和したデザインの薄型の可動フードを備えたレンジフードにおいて、レンジフードの前面に配置された操作部及び表示部と送風機等を収納した固定フード部を結ぶ接続線を可動フード及び固定フードの縁部の限られた空間に、可動フードの動作のための機構と共に前述の接続線が収納した場合に前述の接続線が異常屈曲や座屈、破断を防止することができる。
【図面の簡単な説明】
【００１７】
【図１】本発明の一実施例を示すレンジフードの可動フード使用状態(伸長時)の側部動作機構部の縦断面図
【図２】本発明の一実施例を示すレンジフードの可動フード収納状態の側部動作機構部の縦断面図
【図３】本発明の一実施例を示すレンジフードの縦中央断面図
【図４】本発明の一実施例を示すレンジフードの正面図
【図５】本発明の一実施例を示すレンジフードの正面Ｐ部拡大図
【図６】本発明の一実施例を示すレンジフードの収納状態の斜視図
【図７】本発明の一実施例を示すレンジフードの使用状態の斜視図
【図８】本発明の一実施例を示すレンジフードの可動フードの最大可動位置側面図
【図９】本発明の一実施例を示す補助部材取り付け部分の接続線の縦断面図
【図１０】本発明の一実施例を示す補助部材取り付け部分の接続線の縦断面図
【図１１】本発明の一実施例を示す補助部材取り付け部分の接続線の縦断面図
【発明を実施するための形態】
【００１８】
以下、実施例を、図面を用いて説明する。
【実施例１】
【００１９】
本実施例では、接続線に異常屈曲や座屈、破断を防ぐ補助部材を付加したレンジフードの構成の例を説明する。
【００２０】
図１、２は、本発明の一実施例を示すレンジフードの側部動作機構部の縦断面図の例である。図１は可動フード１１１使用状態(伸長状態)、図２は可動フード１１１収納状態を示している。
【００２１】
可動フード１１１と固定フード１１０の側部の内部には、使用状態（伸長状態）と収納状態の動作のための機構と共に接続線５０１が設けられている。接続線５０１のうち、可動フード１１１使用状態（伸長状態）と収納状態のどちらの状態においても固定フード１１０内に位置している接続線５０１の一部分５０１ａは、固定フード１１０に設けられた接続線保持具５０５で保持されている。接続線５０１のうち、可動フード１１１使用状態（伸長状態）で固定フード１１０内に位置していない接続線５０１の一部分５０１ｂは、可動フード１１１の接続線保護カバー５０６で形成する空間５１０で滑らかに弛みを持って、可動フード１１１内部の底面に固定される。ここで前述の接続線５０１の弛み部分に補助部材５０２を取り付ける。なお、接続線保護カバー５０６で形成する空間５１０は、可動フード１１１使用状態と収納状態との長さの差分を収めるために設けられるものである。
【００２２】
この補助部材５０２により、接続線保護カバー５０６で形成される長さの差分を収める空間５１０に進入する油や塵埃により摺動抵抗が増したり、固着を生じて接続線５０１の弛み部分が潰れたり、捩れたりしないように補助することができる。
【００２３】
また、固定フード１１０内部で接続線保持具５０５によって保持された接続線５０１の一部分５０１ａの後端部は接続線５０１の固定フード側接続部５０３として導かれる。また、可動フード１１１内部の底面に固定された接続線５０１の先端部は接続線５０１の可動フード側接続部５０４として可動フード先端部４０１へ導かれる。
【００２４】
図３は、本発明の一実施例を示すレンジフードの縦中央断面図である。レンジフードのファンユニット１０１には、加熱調理器として例えばＩＨクッキングヒータで調理された際に発生する油煙や水蒸気、ガスを屋外へ排出するためのファン１０２が排気用モータ１０３を介して取り付けられている。
【００２５】
ファン１０２はスクロール１０４で覆われており、スクロール１０４の前側(排気流路の上流側)にはベルマウス１０５が設けられている。ベルマウス１０５の前側(排気流路の上流側)には、排気流路内にフィルタ１０６を設けており、油・水分を捕集できる。
【００２６】
フィルタ１０６はスクロール１０４に設けられたＬ型支持部１０７により支えられ、そのＬ型支持部を支点とし、ファンユニット１０１の上方に弾性材を用いたフィルタ支持金具１０８によって所定角度の傾斜を持ち配設されている。
【００２７】
ファン１０２、ベルマウス１０５、フィルタ１０６は、掃除がしやすいように着脱自在に取り付けられているのが望ましい。また、スクロール１０５の出口は、屋外へ排出する為のダクトと接続するダクト継手１０９が取り付けられる構造となっている。
【００２８】
ファンユニット１０１は固定フード１１０の上側に固定され、固定フード１１０の天面に開けられた開口部とファンユニット１０１の開口部が連通する。
【００２９】
図４、５は、それぞれレンジフードの正面図、正面図のＰ部拡大図である。固定フード１１０の側面内側には、固定レール３０１が左右に固定されている。可動フード１１１には、固定レール３０１と連結されている可動レール３０２が設けられている。この固定レール３０１と可動フード３０２とを介して固定フード１１０の内側に可動フード１１１が移動できるように配置している。
【００３０】
固定フード１１０および可動フード１１１の内側には、吸込流のスピードを加速させ、捕集効率を向上させるため、整流板Ａ１１２と整流板Ｂ１１３を備える。吸込口は、整流板Ａ１１２及び整流板Ｂ１１３と固定フード１１０及び可動フード１１１との間の開口部である。
【００３１】
吸込口は、整流板Ａ１１２及び整流板Ｂ１１３の全周に渡り設けることで、吸込み領域が広い範囲に形成できる。
【００３２】
整流板Ａ１１２は固定フード１１０に、整流板Ｂ１１３は可動フード１１１にそれぞれ支持され、清掃性を考慮して着脱自在に設けられている。
【００３３】
固定フード１１０に設置している整流板Ａと、可動フード１１１内に設置している整流板Ｂとは段違いに支持される。可動フード１１１収納時にでも整流板同士が当接することはない。また、段差にできる隙間は、段差吸込口１１４となる。
【００３４】
フード可動機構１１５はモータを備え、可動フード１１１を駆動する。フード可動機構１１５は可動フード１１１の可動量を変えることができる。例えば、モータの回転量から駆動量を検出したり、ワイヤを用いた機構であっても起点からの移動量を検出したりすることで、任意の可動量で可動フード１１１の位置を変えるものである。これによって整流板Ｂ１１３は、可動フード１１１の移動とともに整流板Ａ１１２との重複領域を変える。
【００３５】
この可動フード１１１と整流板Ｂ１１３との移動により、吸込口の面積と領域が変わり、吸込み風量が変わる。吸込口の面積が狭い場合には全体的に吸込み風量が強くなるが、特に固定フード１１１側の吸込口領域の方が可動フード１１１側の方より強くなる。この現象は、後述するように、可動フード１１１の可動量が少ない場合の方が顕著である。
【００３６】
可動フード１１１の正面部分である可動フード先端部４０１にはスイッチ２０１が設けられ、それぞれ「切」、「強」、「中」、「常時換気」、「自動・手動切り替え」、「フード位置設定」、「照明」等の機能設定スイッチである。
【００３７】
図６、７は可動フード１１１の収納状態と使用状態を示す図である。
【００３８】
図６の収納状態においては、可動フード先端部４０１とレンジフードに取り付けられた幕板４０３と面が一致し、美観を損なわない形状となっている。
また、図７は可動フード１１１が突出した使用状態を示している。
図６から図９は、油煙や水蒸気、ガスを発生している鍋の位置の違いにより、可動フード１１１の突出位置が変わる状態を図示している。
【００３９】
図８は、手前側のＩＨクッキングヒータで料理をした時の図を示す。図８では、鍋６０１がＩＨクッキングヒータにおける使用者の手前側にある。可動フード１１１が最大突出位置となることで、整流板Ａ１１２と整流板Ｂ１１３の全周に構成された吸込口はフード部全周かつ広範囲に形成され、図８のような状態の鍋６０１から発生する油煙、水蒸気、ガスを効率良く捕集できる。
【００４０】
また整流板Ｂ１１３の表面は、鍋６０１からの油煙や水蒸気で結露しやすい位置となっているが、段差吸込口１１４からの流速の比較的速い吸込流により、整流板Ｂ１１３の表面を乾かし、結露低減が図れる構成となっている。
【００４１】
図９は、本発明の一実施例を示す補助部材取り付け部分の接続線の縦断面図である。図９において、補助部材５０２は、接続線５０１への取り付け部材５０７により、補助部材５０２の両端部のみで接続線５０１へ取り付けられている。この場合、前述の接続線５０１の弛み部分への補助部材５０２の適用位置は接続線５０１の外周側であっても、接続線５０１の内周側であっても良く、内外周のどちらに適用するかは接続線５０１と補助部材５０２の膨張係数や摩擦係数や弾性等の特性により決められる。
【００４２】
図１０は、他の本発明の一実施例を示す補助部材取り付け部分の接続線の縦断面図である。図１０において、補助部材５０２は、接続線５０１への取り付け部材５０７により、補助部材５０２の全長に渡って接続線５０１へ取り付けられている。この場合、前述の接続線５０１の弛み部分への補助部材５０２の適用位置は接続線５０１の外周側であっても、接続線５０１の内周側であっても良く、内外周のどちらに適用するかは接続線５０１と補助部材５０２の膨張係数や摩擦係数や弾性等の特性により決められる。
【００４３】
図１１は、他の本発明の一実施例を示す補助部材取り付け部分の接続線の縦断面図である。図１１において、補助部材５０２は、補助部材５０２の取り付け部材５０７により、補助部材５０２の両端部のみで、補助部材５０２自身に弛みを持って接続線５０１へ取り付けられている。この場合、前述の接続線５０１の弛み部分への補助部材５０２の適用位置は接続線５０１の外周側に限定される。レンジフードへの適用状態では、接続線５０１の屈曲時に前述の接続線５０１の弛み外周側に隙間を設けた状態となる。
【符号の説明】
【００４４】
１０１：ファンユニット
１０２：ファン
１０３：排気用モータ
１０４：スクロール
１０５：ベルマウス
１０６：フィルタ
１０７：Ｌ型支持部
１０８：フィルタ支持金具
１０９：ダクト継手
１１０：固定フード
１１１：可動フード
１１２：整流板Ａ
１１３：整流板Ｂ
１１４：段差吸込口
２０１：スイッチ
２０２：表示部
３０１：固定レール
３０２：可動レール
４０１：可動フード先端部
４０２：吊り戸棚
４０３：幕板
５０１：接続線
５０２：補助部材
５０３：接続線の固定フード側接続部
５０４：接続線の可動フード側接続部
５０５：接続線保持具
５０６：接続線保護カバー
５０７：補助部材の取り付け部材
５１０：空間
６０１：鍋
６０２：油煙及び水蒸気
６０３：壁
【図１】
2015007489.tif 000003
【図２】
2015007489.tif 000004
【図３】
2015007489.tif 000005
【図４】
2015007489.tif 000006
【図５】
2015007489.tif 000007
【図６】
2015007489.tif 000008
【図７】
2015007489.tif 000009
【図８】
2015007489.tif 000010
【図９】
2015007489.tif 000011
【図１０】
2015007489.tif 000012
【図１１】
2015007489.tif 000013